(57)【特許請求の範囲】
【請求項１】
自動車のナンバープレートの周縁に配置する自動車のナンバープレート拡張装飾器具であって、配置された状態で、そのナンバープレートを視認する側からみて、そのナンバープレート周縁に略面一かつ、そのナンバープレートの着色と略同一の着色を少なくともそのナンバープレートの周縁部については有するように構成して、自動車全体を視界に入れて視認できる程度の距離がナンバープレートと離れている状態でナンバープレート部分との境界を識別困難なようにナンバープレートに拡張した意匠性を持たせ、自動車のナンバープレートの中心線から左右対称の形状、又は、自動車のナンバープレートの中心点から点対称の形状とした自動車のナンバープレート拡張装飾器具。
【請求項２】
自動車の車体に配置するために、自動車の車体に対して吸着能力を有する磁石からなる磁石配置部をさらに有する請求項１に記載の自動車のナンバープレート拡張装飾器具。
【請求項３】
自動車の車体に配置するために、自動車の車体と、ナンバープレートによって挟持されるための庇配置部をさらに有する請求項１又は請求項２に記載の自動車のナンバープレート拡張装飾器具。
【請求項４】
ナンバープレートを視認する側の周縁の山脈状盛り上がり周回部の外側斜面にかかり、峰の頂上近辺に至る峰かけ部分であってナンバープレート周縁を周回するように構成される峰かけ周回部をさらに有する請求項１から請求項３のいずれか一に記載の自動車のナンバープレート拡張装飾器具。
【請求項５】
前記「略面一」とするために自動車の車体からの離間距離を調整するための調整部をさらに有する請求項１から請求項３のいずれか一に記載の自動車のナンバープレート拡張装飾器具。
【請求項６】
ナンバープレートの周縁部から離間するにつれてナンバープレートの着色から徐々に異なる着色がされる請求項１から請求項５のいずれか一に記載の自動車のナンバープレート拡張装飾器具。
【発明の詳細な説明】
【技術分野】
【０００１】
本発明は、自動車のナンバープレート拡張装飾器具に関し、特にナンバープレート部分とその拡張装飾部材（器具）との境界を識別困難なようにナンバープレートに拡張した意匠性を持たせるのに好適な自動車のナンバープレートの拡張装飾器具（以降、自動車のナンバープレート装飾器具と呼称する）に関する。
【背景技術】
【０００２】
近年、デザインにこだわった自動車が発売されており、自動車の車体（ボディ）色は赤、青、白、黒、水色、桃色などカラフルである。しかし、一般的な自動車のナンバープレートの色は、普通車は白色、軽自動車は黄色、白のみである。最近ではご当地ナンバープレートでナンバープレートに図柄（図案）を入れたものもあるが、まだ一般的ではない。
自動車のナンバープレートの色は決まっているので、自動車のナンバープレートによってせっかくの自動車のデザイン性が損なわれることが非常に多く見受けられる。だからと言ってナンバープレートの自動車の車体での表示は道路運送車両法によって義務付けられているので、ナンバープレートをナンバープレートの上から何かで覆ったりすることで隠すことは法的にできない。ナンバープレートの周りをフレームなどで覆っている車は多いが、ただ囲っているだけで意匠性の改善になっていない。
【０００３】
従来、自動車のナンバープレートの周りに装飾をつけて意匠性を高めるナンバープレートの装飾器具が知られている。
【０００４】
このような自動車のナンバープレートの装飾器具としては、例えば国際公開ＷＯ２００５−０１２０４１号公報（特許文献１）に示すナンバープレート装飾部材や、特開平９−１５０６８６号公報（特許文献２）に示すナンバープレート用飾り枠が挙げられる。
【０００５】
特許文献１に示すナンバープレート装飾部材は、ナンバープレートの周縁に取り付けられる連結用部材と、連結用部材を介して、ナンバープレートの周縁に固定される補助プレートとを備えた構成をしている。これにより、封印されたナンバープレートを取り外すことなく、意匠性を高めることのできるナンバープレートの装飾部材を容易に取り付けることができる。
【０００６】
特許文献２に示すナンバープレート用飾り枠は、ナンバープレートの周囲を取り囲む枠体を有し、この枠体の少なくとも一部に飾り部を浮き彫りあるいは型成型して構成される。そして、上記枠体には、ナンバープレートの取付けビスを介して上記枠体をナンバープレートと共に自動車の車体に止着するための取付け片を一体的に突設してあり、この取付け片が枠体との境界部に肉薄部を有するものである。これにより、単一のものでありながら、自動車の前部のナンバープレートだけでなく後部のナンバープレートに対してもその封印を外すことなくナンバープレート用飾り枠を確実に取付けることができる。
【先行技術文献】
【特許文献】
【０００７】
【特許文献１】国際公開ＷＯ２００５−０１２０４１号公報
【特許文献２】特開平９−１５０６８６号公報
【発明の概要】
【発明が解決しようとする課題】
【０００８】
上記特許文献１および特許文献２では、ナンバープレートの封印を取り外すことなく、自動車のナンバープレートの装飾器具を取り付ける構造を開示しているだけであり、自動車のナンバープレート部分とそのナンバープレートの装飾器具（部材）との境界が識別できるため、意匠の美感に限界があった。
【０００９】
本発明の目的は、自動車の車体に取り付けたナンバープレート部分を他の装飾部材と識別困難なようにナンバープレートと装飾部材を一体化し、ナンバープレートに拡張した意匠性を持たせる自動車のナンバープレート装飾器具を提供することにある。
【課題を解決するための手段】
【００１０】
上記課題を解決するために本発明において、以下の自動車のナンバープレート装飾器具を提供する。すなわち、第一の発明として、自動車のナンバープレートの周縁に配置する自動車のナンバープレート装飾器具であって、配置された状態で、そのナンバープレートを視認する側からみて、そのナンバープレート周縁に略面一かつ、そのナンバープレートの着色と略同一の着色を少なくともそのナンバープレートの周縁部については有するように構成して、自動車全体を視界に入れて視認できる程度の距離がナンバープレートと離れている状態でナンバープレート部分との境界を識別困難なようにナンバープレートに拡張した意匠性を持たせ、自動車のナンバープレートの中心線から左右対称の形状、又は、自動車のナンバープレートの中心点から点対称の形状とした自動車のナンバープレート拡張装飾器具（請求項１対応）。
【００１１】
前記構成に加え、自動車の車体に配置するために、自動車の車体に対して吸着能力を有する磁石からなる磁石配置部をさらに有する（請求項２対応）。
【００１２】
前記構成に加え、自動車の車体に配置するために、自動車の車体と、ナンバープレートによって挟持されるための庇配置部をさらに有する（請求項３対応）。
【００１３】
前記構成に加え、ナンバープレートを視認する側の周縁の山脈状盛り上がり周回部の外側斜面にかかり、峰の頂上近辺に至る峰かけ部分であってナンバープレート周縁を周回するように構成される峰かけ周回部をさらに有する（請求項４対応）。
【００１４】
前記構成に加え、前記「略面一」とするために自動車の車体からの離間距離を調整するための調整部をさらに有する（請求項５対応）。
【００１５】
前記構成に加え、ナンバープレートの周縁部から離間するにつれてナンバープレートの着色から徐々に異なる着色がされる（請求項６対応）。
【発明の効果】
【００１８】
上述した構成によれば、自動車の車体に取り付けたナンバープレート部分を他の装飾部材と識別困難なようにナンバープレートと装飾部材を一体化し、ナンバープレートに拡張した意匠性を持たせる自動車のナンバープレート装飾器具を提供することができる。
【図面の簡単な説明】
【００１９】
【図１】実施形態１の自動車のナンバープレート装飾器具を自動車の前部（フロント）に装着した概念図
【図２】実施形態１の自動車のナンバープレート装飾器具を自動車の後部（バック）に装着した概念図
【図３】実施形態１の自動車のナンバープレート装飾器具の取付方法の説明図
【図４】実施形態１の自動車のナンバープレート装飾器具とナンバープレートとの略面一の説明図
【図５】実施形態１の自動車のナンバープレート装飾器具の挟み込みタイプの例を示す図
【図６】実施形態２の自動車のナンバープレート装飾器具のマグネットタイプ装着例を示す図
【図７】実施形態２の自動車のナンバープレート装飾器具のマグネットタイプとナンバープレートとの関係を示す図
【図８】実施形態２の自動車のナンバープレート装飾器具のマグネットタイプの例を示す図
【図９】実施形態３の自動車のナンバープレート装飾器具の庇配置部の構造を示す図
【図１０】実施形態４のナンバープレートの山脈状盛上がり周回部と装飾器具との境界面を示す図
【図１１】実施形態５の自動車のナンバープレート装飾器具における厚み調整部の構造を示す図
【図１２】実施形態５の自動車のナンバープレート装飾器具における厚み調整部の他の例を示す図
【図１３】実施形態６の自動車のナンバープレート装飾器具のグラデーション例を示す図
【図１４】実施形態６の自動車のナンバープレート装飾器具のグラデーション例の他の例を示す図
【図１５】実施形態７の自動車のナンバープレート装飾器具の風による変形の説明図
【図１６】実施形態７の自動車のナンバープレート装飾器具の風による変形の説明図
【図１７】実施形態７の自動車のナンバープレート装飾器具の左右対称例を示す図
【図１８】実施形態８の自動車のナンバープレート装飾器具の風による変形の説明図
【図１９】実施形態８の自動車のナンバープレート装飾器具の点対称例を示す図
【図２０】実施形態の略面一を説明するための図
【図２１】略面一の具体的な範囲を決定するための視認困難性の実験例を示す図
【図２２】実施形態２の自動車のナンバープレート装飾器具の他のマグネットタイプを示す図
【図２３】実施形態２の自動車のナンバープレート装飾器具の他のマグネットタイプ装着例を示す図
【図２４】実施形態における自動車のナンバープレート装飾器具のナンバープレート周縁配置例を示す図
【図２５】実施形態における自動車のナンバープレート装飾器具の取付けに厚み調整プレートを用いた例を示す図
【発明を実施するための形態】
【００２０】
以下に、図を用いて本発明の実施の形態を説明する。なお、本発明はこれら実施の形態に何ら限定されるものではなく、その要旨を逸脱しない範囲において、種々なる態様で実施しうる。
【００２１】
＜実施形態１＞
実施形態１は、主に請求項１に対応する。
＜実施形態１  概要＞
【００２２】
実施形態１の自動車のナンバープレート装飾器具０１０１又は０２０１は、図１又は図２に示すように、自動車０１０２又は０２０２の前部（フロント）や後部（バック）に取り付けられる。ナンバープレート装飾器具はナンバープレート周縁全体を取り囲む又はナンバープレートの側方に取り付けるマグネットタイプと、ナンバープレートを取り外してナンバープレートと自動車０１０２又は０２０２の車体との間に挟み込むタイプがある。図１又は図２では、ナンバープレートを点線で囲んでいるが、実際は自動車の車体に取り付けたナンバープレート部分を他の装飾部材と識別困難なようにナンバープレートと装飾部材を一体化しているので、ナンバープレート部分の点線の境界部分は視認（識別）が困難な構造である。
＜実施形態１  構成＞
【００２３】
図３に示すように、実施形態１の自動車のナンバープレート装飾器具は、自動車のナンバープレート０３０１の周縁に配置する自動車のナンバープレート装飾器具０３０２であって、図３の０３０３のように配置された状態で、そのナンバープレート０３０１を視認する側からみて、そのナンバープレート周縁に略面一かつ、そのナンバープレート０３０１の着色と略同一の着色を少なくともそのナンバープレートの周縁部については有するように構成されたものである。
＜実施形態１  構成の説明＞
【００２４】
「自動車のナンバープレート装飾器具」は、自動車のナンバープレートの周縁に配置する。
ここで「周縁」とは、ナンバープレートの４辺であるナンバープレートの上下左右の端の少なくとも一部である。「周縁に配置」とは、上下左右の全体の周縁にナンバープレート装飾器具が切れ目なく接するように配置される場合の他に、上下左右の端の一部、例えば左右端のみや上下端のみ、あるいは左右端と上端、左右端と下端にのみ配置されるような場合も周縁に配置する、とする。また、左右端に配置されているが両側ともその一部にナンバープレート装飾器具の切れ目があるような場合でも周縁に配置されている、とする。これらの場合でもナンバープレートの見た目を美的にできる場合があるからである。
【００２５】
図２４に実施形態における自動車のナンバープレート装飾器具のナンバープレート周縁配置例を示す。図２４（Ａ）は周縁がナンバープレートの左右端付近と下端付近の例、図２４（Ｂ）は周縁がナンバープレートの上端付近と下端付近の例、図２４（Ｃ）は周縁がナンバープレートの左右端付近と上端付近の例、図２４（Ｄ）は周縁がナンバープレートの上下左右端付近の例、図２４（Ｅ）は周縁がナンバープレートの左右端付近と上下端付近の一部の例、図２４（Ｆ）は周縁がナンバープレートの上端付近と左右端付近の一部の例である。
【００２６】
本件発明に言う「自動車」とはナンバープレートを取り付ける移動体であり、普通車（セダン、ハッチバック、ＳＵＶ、バン、ワンボックス）、軽自動車（ワンボックス、軽トラック、バン）のみならずトラック、バス、ダンプカー、清掃車などの産業用車両なども含まれる。また、移動体であれば自動車に含むこととするので、自動二輪車（バイク）や原動機付自転車、トライクス等も含まれる（以下、「自動車」という）。
【００２７】
道路運送車両法では、自動車の種類は普通自動車（バス、トラック、乗用車）、小型自動車（小型トラック、小型乗用車、三輪トラック、大型オートバイ）、軽自動車（軽トラック、軽乗用車、オートバイ）、大型特殊自動車、小型特殊自動車に分けられている。また、原動機付自転車は第１種原動機付自転車（ミニバイク）と第２種原動機付自転車（バイク）に分けられる。これらの自動車の種類に応じて検査義務、登録義務、届け出義務等が決められており、登録義務のある自動車は、車体の後部に取り付けられるナンバープレートに封印が施される。
これは、一度破ると封印としては使えなくなる。この封印は盗難防止や偽造防止のために用いられるものであるが、自動車の整備のために特に必要があるときや、道路運送車両法の特例等に関する法律（昭和３９年法律第１０９号）第５条第１項の規定により国道交通大臣から交付を受けた登録証書に記載された登録番号を表示するときには外すことができる。
原動機付き自転車等については、道路運送車両法上の届け出義務はないが、条例により市区町村へ届出て、ナンバープレート（標識番号標）を付けることになっている。
【００２８】
このようなナンバープレートの塗色（色）は、自動車の用途が自家用、貸渡（レンタカー）用、駐留軍人私有車両用等であれば、白地に緑文字と決められており、軽自動車であれば黄地に黒文字と決まっている。事業用の乗用車や貨物車であれば、緑地に白文字と決まっており、軽自動車であれば、黒地に黄文字と決まっている。
【００２９】
図３に示すように、本件発明のナンバープレート装飾器具は、ナンバープレート０３０１をナンバープレート装飾器具０３０２に嵌め込み（挟み込み取付けやナンバープレート周縁全体を取り囲む、または側方取付けを含む）、一体化した拡張プレート０３０３を構成して、ナンバープレート０３０１の部分とナンバープレート装飾器具０３０２の周縁の境界部分を識別が困難なようにしたものである。
【００３０】
図４（Ａ）に示すように、ナンバープレートとナンバープレート装飾器具とを一体化した拡張プレート０４０１は、ナンバープレート０４０４と、ナンバープレート装飾器具のナンバープレート周縁部分０４０２、０４０３、０４０５、０４０６との境界が遠目に観察した場合（自動車全体を視界に入れて視認できる程度の距離がナンバープレートと離れている程度）、識別困難なように構成されている。
【００３１】
「装飾器具が周縁に配置された状態で、そのナンバープレート周縁に略面一」とは、図４（Ｂ）のＡ−Ａ断面図又は図４（Ｃ）のＢ−Ｂ断面図に示すように、ナンバープレート０４０４と周縁部分０４０２、０４０３との面がほぼ同じ高さになっていることをいう。一般にナンバープレートには、その周縁部に縁取り（わずかに盛り上がりナンバープレートの央部を取り囲む山脈状の部分）があるが、その縁取りは前記遠目に観察した場合には注意して凝視しないとはっきりとは認識できない。従って、装飾器具がナンバープレートと一体化してその境目が目立たないようにするためには、ナンバープレートの央部に対するこの縁取りとの関係で、縁取り部分と、装飾器具の縁取りに近接ないしは接する部分との段差を評価すればよいと考えられる。なお、ナンバープレートの断面の設計については法律や施行令などで定められておらず自由度が高いために前記縁取り部分の高さをある一定範囲で想定して略面一といえるための段差許容度を判断する。
すなわち、略面一の高さは、図２０に示すように、ナンバープレート２００１の周縁（縁取り）２００３の凸部の長さをＬｍｍ、凸部の厚みをＭｍｍ、ナンバープレート２００１の平坦部分の厚みをＮｍｍとすると、ナンバープレート２００１の凸部の厚み（Ｍ−Ｎ）ｍｍとナンバープレート装飾器具２００２の段差Ｐｍｍとの関係が、α＝Ｐ／（Ｍ−Ｎ）×１００＝５％〜５０％の範囲で規定される長さである。ここで、Ｍ−Ｎ＝βとする。
【００３２】
図２１に略面一の具体的な範囲を決定するための視認困難性の実験例を示す。ここで、α＝Ｐ／（Ｍ−Ｎ）×１００、Ｍ−Ｎ＝βとする。ナンバープレートの周縁の凸部の高さβが０．１ｍｍ刻みで０．４ｍｍ〜１．０ｍｍまで変化したとき、ナンバープレート装飾器具の段差αが５％刻みで５％〜５０％まで振ったときの視認困難性の実験を行った。
＜実験環境＞
【００３３】
１シートＢ５サイズの白色紙（白色ペーパー）をマイクロメータで計測し、０．０８ｍｍであった。このシートを縦半分にカットし、台紙（ナンバープレートに相当する）を１枚作成し、半分にしたシート１枚〜５枚まで１枚ずつ追加して隙間が生じないように密着して重ね綴じし、５種類の厚みを有するシートを作成した。
その台紙上に厚みの異なる５種類のシート（ナンバープレート装飾器具とナンバープレートの縁取りとの段差に相当）をそれぞれずらして重ねて配置し、５種類の段差を形成し、実験を行った。
５種類のシートの厚みは、それぞれ１枚のシートが０．０８ｍｍ、２枚重ねのシートが０．１６ｍｍ、３枚重ねのシートが０．２４ｍｍ、４枚重ねのシートが０．３２ｍｍ、５枚重ねのシートが０．４０ｍｍである。
形成した段差は、０．０８ｍｍ（台紙に１枚シートを配置）、０．１６ｍｍ（台紙に２枚重ねシートを配置）、０．２４ｍｍ（台紙に３枚重ねシートを配置）、０．３２ｍｍ（台紙に４枚重ねシートを配置）、０．４ｍｍ（台紙に５枚重ねシートを配置）の５種類である。
＜観測条件・評価方法＞
【００３４】
観測条件は、５種類の段差を有するシートを室内の壁に貼り、約２メートルの視認距離の正面から見た目視判断で評価した。評価方法は、目視にて台紙上に配置したシートと台紙との段差の視認が困難かどうかで判断した。視認が困難な場合は、ＯＫ。段差が目視視認できる場合は、ＮＧとした。視認は、最初に台紙を最低５秒間見ない状態、具体的には台紙に背を向けた状態ではじめ、その後振り向いて台紙に向かって５秒以内に段差が視認できるかで判断した。このような実験環境にしたのは自動車のデザインとしては凝視して判断することは一般的でなく、この程度の観察状態で段差がないと判断できれば自然な環境で自動車を見る者にとってはデザインとして有効性を有すると考えられるからである。
＜実験結果＞
【００３５】
αが５％の場合、βが０．４ｍｍ〜１．０ｍｍまで実験ができなかった。αが１０％の場合、βが０．４ｍｍ〜０．６ｍｍまで実験ができなかった。αが１５％の場合、βが０．４ｍｍで実験ができなかった。段差が０．０８ｍｍ、０．１６ｍｍ、０．２４ｍｍ、０．３２ｍｍの場合は段差が判別できず、視認困難であったので、ＯＫとした。段差が０．４ｍｍの場合は段差が目視で視認できたので、ＮＧとした。この結果を図２１に当てはめて段差が０．０８ｍｍ〜０．３２ｍｍの範囲であれば、ＯＫであると考えられるので、この数値範囲内の段差はＯＫとみなした。また、段差が０．０８ｍｍの場合は段差が判別できず、視認困難であったので、段差が０．０８より小さい範囲であれば、ＯＫとみなす。当然段差が０ｍｍの場合は段差が判別できず、視認困難であると考えられるので、ＯＫとする。
【００３６】
従って、βが０．４ｍｍ〜０．６ｍｍの場合は、αが０％以上で５０％以下であれば、視認困難が維持される。βが０．７ｍｍの場合は、αが０％以上で４５％以下であれば、視認困難性が維持される。βが０．８ｍｍの場合は、αが０％以上で４０％以下であれば、視認困難性が維持される。βが０．９ｍｍの場合は、αが０％以上で３５％以下であれば、視認困難性が維持される。βが１．０ｍｍの場合は、αが０％以上で３０％以下であれば、視認困難性が維持される。
＜検討結果＞
【００３７】
ナンバープレートの縁取りの高さとナンバープレート装飾器具との境界における段差をα、ナンバープレートの縁取りの高さをβとすると、
・０．４ｍｍ≦β<０．７ｍｍ  ａｎｄ  ０％≦α≦５０％
・０．７ｍｍ≦β<０．８ｍｍ  ａｎｄ  ０％≦α≦４５％
・０．８ｍｍ≦β<０．９ｍｍ  ａｎｄ  ０％≦α≦４０％
・０．９ｍｍ≦β<１．０ｍｍ  ａｎｄ  ０％≦α≦３５％
・１．０ｍｍ＝β              ａｎｄ  ０％≦α≦３０％
の範囲内であれば、視認困難性が維持される。
【００３８】
「ナンバープレート周縁とナンバープレートの着色と略同一の着色」とは、図４（Ａ）に示すように、ナンバープレート０４０４の周縁の境界部分が識別困難なようにナンバープレート周縁とナンバープレートの着色と略同一に着色されていることをいう。例えば、ナンバープレートの文字等を除いた部分の色が白色の場合は、ナンバープレート装飾器具のナンバープレート周縁の色は白色となる。ナンバープレートの文字等を除いた部分の色が緑色のナンバープレートの場合は、ナンバープレート装飾器具のナンバープレート周縁の色も緑色となり、ナンバープレートの文字等を除いた部分の色が黄色のナンバープレートの場合は、ナンバープレート装飾器具のナンバープレート周縁の色も黄色となる。ナンバープレートの文字等を除いた部分の色が黒色のナンバープレートの場合は、ナンバープレート装飾器具のナンバープレート周縁の色も黒色となる。
【００３９】
図５（Ａ）〜（Ｄ）に示すように、ナンバープレートに拡張した意匠性を持たせるナンバープレート装飾器具の形状は、各種考えられる。図５（Ａ）の０５０１はスタンダードタイプ、図５（Ｂ）の０５０２はカーブタイプ、図５（Ｃ）の０５０３は逆タイプ（スタンダードの逆形状）、図５（Ｄ）の０５０４は中央突出タイプである。これらの形状のナンバープレート装飾器具は、自動車の車体の前部や後部に取り付けられているナンバープレートの周辺の車体（ボディ形状）に適合すれば、自動車のデザインに合わせて自由に選択することができ、ナンバープレートに拡張した意匠性を持たせることができる。
＜実施形態１  効果＞
【００４０】
本実施形態１によれば、自動車の車体に取り付けたナンバープレート部分を装飾器具と識別困難なようにナンバープレートと装飾器具を一体化し、ナンバープレートに拡張した意匠性を持たせることができる。
【００４１】
＜実施形態２＞
実施形態２は、主に請求項２に対応する。
＜実施形態２  概要＞
【００４２】
実施形態２の自動車のナンバープレート装飾器具は、マグネットタイプのものである。
＜実施形態２  構成＞
【００４３】
図６に示すように、実施形態２の自動車のナンバープレート装飾器具０６０４は、自動車０６０１の車体０６０２のナンバープレート０６０３の周縁に配置するために、自動車０６０１の車体０６０２に対して吸着能力を有する磁石からなる磁石配置部０６０５、０６０６をさらに有する。
＜実施形態２  構成の説明＞
【００４４】
「車体」とは、自動車等のナンバープレートが取り付けられる筐体をいう。例えば普通自動車の車体、トラックの車体、バスの車体、三輪車の車体、軽自動車の車体、自動二輪の車体などのことである。ナンバープレートは、車体の前部（フロント部）又は後部（バック部）に取り付けられている。ナンバープレート装飾器具は、ナンバープレートの周縁全体を取り囲むように配置したり、ナンバープレートの側方（右側または左側）に配置するように構成することができる。図６では、ナンバープレート装飾器具０６０４の車体取付面側に磁石配置部０６０５、０６０６を取り付けた例を示している。
【００４５】
「磁石配置部」０６０５、０６０６は、自動車０６０１の車体０６０２に対して吸着能力を有する磁石からなる。磁石配置部０６０５、０６０６の磁石は、自動車の走行中に外れたりしないように、一定の吸着能力を有するものを使用する。磁石配置部０６０５、０６０６の磁石はナンバープレートの両端（左右端）に配置するか、車体取付面側の全面に配置するように構成することもできる。実用上問題がない範囲で磁石を適宜設置すれば良い。磁石としては、例えばアルニコ磁石、フェライト磁石、ネオジム磁石、サマリウムコバルト磁石などの永久磁石が使用できる。ナンバープレート装飾器具は、視認側（表面）には「白色」、「黄色」、「黒色」、「緑色」などの塗色がされており、車体側（裏面）には永久磁石が配置されている。磁石配置部はナンバープレート装飾器具と一体に構成したり、着脱自在に構成することができる。
【００４６】
図６は、ナンバープレート装飾器具と磁石配置部とが一体構成の例であり、図７（Ａ）〜（Ｄ）、図８（Ａ）〜（Ｄ）はナンバープレート装飾器具の全面が磁石配置部である例である。図７（Ａ）〜（Ｄ）はナンバープレート０７０１の左右にナンバープレート装飾器具（０７０２〜０７０５）を配置させてナンバープレートの拡張感を醸し出し、ナンバープレートの意匠性をより向上させている。図７（Ａ）はナンバープレート装飾器具の左右拡張がスタンダード形状、図７（Ｂ）はカーブ形状、図７（Ｃ）は逆形状（スタンダードの逆形状）、図７（Ｄ）は中央突出形状である。図７（Ａ）〜（Ｄ）のナンバープレート装飾器具がナンバープレートの見た目に与える拡張感は、実際に取り付けられている自動車のナンバープレート周辺の車体の形状に合わせて適宜設計することができる。図８（Ａ）〜（Ｄ）はそれぞれ図７（Ａ）〜（Ｄ）に対応しており、ナンバープレート部分を省略したナンバープレート装飾器具０８０１〜０８０４を示している。これらのナンバープレート装飾器具０８０１〜０８０４はマグネットシートを構成しており、所定の形状にカットしたマグネットシートを使用することができる。
【００４７】
図２２にその他の実施形態のナンバープレート装飾器具がマグネットシートの例を示す。
図２２（Ａ）（Ｂ）に示すように、２つのマグネットシート２２０２ａ、２２０２ｂの上面に透明のビニールシート２２０３をナンバープレート分の距離を離間して貼り付けて一体構成した。一体構成のマグネットシート２２０２ａ、２２０２ｂを車体から離間した位置のナンバープレート２２０１の上から設置すると、図２３のような状態となる。図２３は、車体から離間した位置に設置されたナンバープレートに透明ビニールシートと一体構成のナンバープレート装飾器具（マグネットシート）を設置した例を示している。
【００４８】
図２３（Ｂ）は、車体から離間して配置されるナンバープレート２３０１に、図２２にて示した装飾器具２３０７で装飾状態とした場合の車体に水平な方向から見た場合の断面概念図である。
【００４９】
図２３に示すようにナンバープレートの上には透明ビニールシートが全体に覆いかぶされ、ナンバープレートの左右端まで透明ビニールシートで覆われる。従って、ナンバープレートの左右端の直近空間はビニールシートの裏面側がナンバープレートの上面と同じ高さに保たれている。一方、その直近空間のビニールシートの裏面はマグネットシートの上面でもあるので、結果としてマグネットシートの上面と、ナンバープレートの上面とが面一となる。ここで、ナンバープレートと透明ビニールシートとの密着性を上げるため、透明ビニールシートのナンバープレート接触側に透明の接着部分を構成しても良い。
【００５０】
図２３の断面から見ると、車体２３０２上のナンバープレート取付台２３０３にナンバープレート取付ネジ２３０４でナンバープレート２３０１が取り付けられている。そして、透明ビニールシート２３０５と一体構成のナンバープレート装飾器具である左右端のマグネットシートの磁石吸着面２３０６ａ、２３０６ｂが車体２３０２に磁力で吸着されている。従って車体とナンバープレートとの間が比較的離れている場合でも柔軟性があるマグネットシートが徐々に車体側に倣ってゆき本発明による装飾器具のボディに対する高さ調整が自ずと可能となり煩雑な調整をすることなく装飾効果を得ることができる。この場合に、マグネットシートの車体に吸着している部分の配色をボディと同色とし、ナンバープレート周縁のナンバープレート色から徐々にボディの配色となるようにマグネットシートの配色をグラデーションとすることで自然に色が移り変わり高い装飾効果を得ることができる。
＜実施形態２  効果＞
【００５１】
実施形態２によれば、実施形態１の効果に加えて、自動車のナンバープレート装飾器具は磁石の吸着力を用いてナンバープレートの周縁に取り付けられるので、取付が簡単にできる。
【００５２】
＜実施形態３＞
実施形態３は、主に請求項３に対応する。
＜実施形態３  概要＞
【００５３】
実施形態３の自動車のナンバープレート装飾器具は、庇配置部を設けたものである。
＜実施形態３  構成＞
【００５４】
図９（Ａ）（Ｂ）に示すように、実施形態３の自動車のナンバープレート装飾器具０９０１は、自動車の車体に配置するために、自動車の車体０９０４と、ナンバープレート０９０３によって挟持されるための庇配置部０９０２をさらに有する。
＜実施形態３  構成の説明＞
図９（Ａ）（Ｂ）
【００５５】
「庇配置部」０９０２は、ナンバープレート装飾器具０９０１を自動車の車体０９０４に配置するために、ナンバープレート０９０３によって挟持されるためのものである。図９（Ａ）に示すように、ナンバープレート装飾器具０９０１は車体０９０４のナンバープレート取付位置に沿うように庇配置部０９０２を有している。図９（Ｂ）は、図９（Ａ）のＡ−Ａ断面を使用して、ナンバープレート装飾器具０９０１とナンバープレート０９０３の車体０９０４への取付方法を説明するためのものである。ナンバープレート０９０３は、車体のねじ穴０９０７にボルト０９０５で、ナンバープレート装飾器具０９０１の庇配置部０９０２が挟持されるように固定して取り付けられる。図９（Ａ）はねじ穴が４個の例を示しているが、２個でも良い。
＜実施形態３  効果＞
【００５６】
実施形態３によれば、実施形態１又は実施形態２の効果に加えて、自動車のナンバープレート装飾器具は庇配置部を設けたので、確実な取り付けができる。
【００５７】
＜実施形態４＞
実施形態４は、主に請求項４に対応する。
＜実施形態４  概要＞
【００５８】
実施形態４の自動車のナンバープレート装飾器具は、ナンバープレートの山脈状盛上がり周回部の外側斜面にかかるナンバープレートを周回するように構成される峰かけ周回部を有するものである。
＜実施形態４  構成＞
【００５９】
図１０（Ａ）（Ｂ）に示すように、実施形態４の自動車のナンバープレート装飾器具１００４は、ナンバープレート１００１を視認する側の周縁の山脈状盛り上がり周回部１００２の外側斜面１００３にかかり、峰の頂上近辺に至る峰かけ部分であってナンバープレート周縁を周回するように構成される峰かけ周回部１００５をさらに有する。
＜実施形態４  構成の説明＞
【００６０】
「峰かけ周回部」１００５は、図１０（Ａ）（Ｂ）に示すように、峰の頂上近辺に至る峰かけ部分であってナンバープレート周縁を周回するように構成される。峰かけ周回部１００５は、ナンバープレート１００１を視認する側の周縁の山脈状盛り上がり周回部１００２の外側斜面１００３にかかっている。これにより、ナンバープレート装飾器具とナンバープレートの周縁付近（境界領域）の段差を調整し、略面一にすることができる。
＜実施形態４  効果＞
【００６１】
実施形態４によれば、実施形態１〜実施形態３のいずれか記載の効果に加えて、峰かけ周回部を有するので、自動車のナンバープレート装飾器具とナンバープレートとの境界面は平らになるので、より境界領域が見えにくくなる。
【００６２】
＜実施形態５＞
実施形態５は、主に請求項５に対応する。
＜実施形態５  概要＞
【００６３】
実施形態５の自動車のナンバープレート装飾器具は、自動車の車体からの離間距離を調整するための調整部を設けたものである。
＜実施形態５  構成＞
【００６４】
図１１（Ａ）、（Ｂ）に示すように、実施形態５の自動車のナンバープレート装飾器具１１０３は、前記「略面一」とするために自動車の車体１１０４からの離間距離を調整するための調整部（ネジ）１１０３ａ、１１０３ｂをさらに有する。ここで、ナンバープレート１１０１とナンバープレート装飾器具１１０３は、別々に車体１１０４に取り付けられる。例えば、図示しないが、ナンバープレート１１０１とナンバープレート装飾器具１１０３はそれぞれ４か所にネジで別々に取り付けられる構造である。
＜実施形態５  構成の説明＞
【００６５】
「調整部」１１０３ａ、１１０３ｂは、ナンバープレート１１０１とナンバープレート装飾器具１１０３との面を略面一とするために自動車の車体１１０４からの離間距離を調整する。調整部のネジ（雄ネジ）１１０３ａをネジ（雌ネジ）１１０３ｂに差込む長さを調整して、ナンバープレート１１０１の上面とナンバープレート装飾器具１１０３の上面との段差を調整する。図１１（Ｂ）は、ナンバープレート１１０１とナンバープレート装飾器具１１０３との段差の調整を説明するための概念図である。図１１（Ｂ）では、調整部であるネジ（雄ネジ）１１０３ａを車体側のネジ（雌ネジ）１１０３ｂに固定するが、ナンバープレート１１０１とナンバープレート装飾器具１１０３とに段差がある場合、ドライバーなどでネジ１１０３ａを回して段差を調整する。これにより、ナンバープレートとナンバープレート装飾器具との面を略面一とすることができる。
＜実施形態５  その他  ナンバープレートが車体の凹部に配置されて横方向に装飾器具を設置しづらい場合のナンバープレートの位置調整例＞
【００６６】
以下、その他の形状のナンバープレート装飾器具について、厚み調整プレートを使用した例について説明する。
【００６７】
図１２（Ａ）に示すように、ナンバープレート１２０１の横の長さをＸｃｍ、縦の長さをＹｃｍ、厚みをＮｍｍとする。図１２（Ｂ）に示すように、ナンバープレート装飾器具１２０２の外周側の厚みをＮ＋数ｍｍ、ナンバープレート取付部側の厚みをＮｍｍとする。図１２（Ｃ）は、ナンバープレートの厚み調整プレート１２０３を示しており、横の長さおよび縦の長さは、それぞれナンバープレート１２０１と同じＸｃｍおよびＹｃｍである。このナンバープレートの厚み調整プレート１２０３の厚みを任意（ｍｍ）に変えることにより、車体のナンバープレート取付部と車体の凹み（車体のナンバープレート取付部分が凹んでいる）を調整することができ、ナンバープレート取付部と車体の構造に限定されずにナンバープレート装飾器具１２０２を設置することができる。例えば、図２５（Ａ）に示すのは、車体に設置されたナンバープレートの車体上下方向断面の概念図である。この例では図示しないがナンバープレートの左右方向断面も同様に構成されていると仮定する。この場合、ナンバープレート装飾器具を上下方向にも左右にも面一に取り付けることが困難である。ナンバープレートと車体との隙間が小さいからである。例えばナンバープレート端部の延長線上にある車体との隙間が５センチ以下の場合にはデザイン性の良い装飾は困難となる。
【００６８】
図２５（Ｂ）に示すように、上述した厚み調整プレートをナンバープレート装飾器具と車体２５０４との間に挟み込み、ナンバープレートの位置を車体から十分に離間するようにする。そしてナンバープレート装飾器具２５０２とナンバープレート２５０１を長ネジ２５０６（図２５（Ａ）のネジ２５０５より長い。もともとナンバープレートを車体に固定していたものを再利用するか、長さが不十分な場合にはより長いねじに置き換える。）で固定する。これにより、車体のナンバープレート取付部が凹んだ構造の車でもナンバープレート装飾器具を装着することができる。
＜実施形態５  効果＞
【００６９】
実施形態５の自動車のナンバープレート装飾器具は、調整部により調整して装飾器具の設置面がナンバープレート周縁に略面一にすることができるので、取付誤差や車体の形状の影響を軽減することができる。
【００７０】
＜実施形態６＞
実施形態６は、主に請求項６に対応する。
＜実施形態６  概要＞
【００７１】
実施形態６の自動車のナンバープレート装飾器具は、ナンバープレートの周縁から遠ざかるにつれて異なる着色がされるものである。
＜実施形態６  構成＞
【００７２】
図１３に示すように、実施形態６の自動車のナンバープレート装飾器具は、ナンバープレートの周縁部１３０４から離間するにつれてナンバープレートの着色から徐々に異なる着色がされる。
＜実施形態６  構成の説明＞
【００７３】
「周縁部の着色」はナンバープレートの周縁部１３０４から離間するにつれてナンバープレートの着色から徐々に異なる着色がされる。図１３の例では、ナンバープレートの実際の境界１３０１と周縁部１３０４の周辺は同一色１３０３であるが、ナンバープレートから遠ざかるにつれて車体の色調に合わせて濃度が濃い階調に着色がされる。例えば、車体の色が黒色でナンバープレートが白色の場合は、ナンバープレートから遠ざかるにつれて、白→灰色→黒などに着色される。
【００７４】
図１４は、ナンバープレート装飾器具の形状が長方形（図１４（Ａ））や楕円（図１４（Ｂ））の例を示している。図１４（Ａ）では、ナンバープレート１４０１の周縁部から左右に離れるにつれて色が濃くなる。車体の色に合わせてナンバープレート装飾器具の色も着色させることで、ナンバープレートの境界とナンバープレート周縁の境界が段階的に着色するので、より意匠性が向上する。車体の色が青であれば、ナンバープレート装飾器具の色は薄い青から濃い青に着色させる。車体の色が赤であれば、ナンバープレート装飾器具の色は薄い赤から濃い赤（深紅）に着色させる。図１４（Ａ）（Ｂ）では、単純化のために、簡単な例を挙げたが、後記図１７や図１９に示すナンバープレート装飾器具にも同様に適用することができる。
＜実施形態６  効果＞
【００７５】
実施形態６の自動車のナンバープレート装飾器具は、ナンバープレートの周縁から遠ざかるにつれて異なる着色されるので、より意匠性（デザイン性）を向上させることができる。
【００７６】
＜実施形態７＞
実施形態７は、主に請求項７に対応する。
＜実施形態７  概要＞
【００７７】
実施形態７の自動車のナンバープレート装飾器具は、風による変形を考慮したものである。
＜実施形態７  構成＞
【００７８】
図１７（Ａ）〜（Ｄ）に示すように、実施形態７の自動車のナンバープレート装飾器具１７０１から１７０４は、自動車のナンバープレートの中心線から左右対称の形状である。
＜実施形態７  構成の説明＞
【００７９】
「左右対称の形状」とは、ナンバープレート装飾器具が自動車のナンバープレートの中心線から左右対称の形状であることをいう。図１７（Ａ）に示すように、ナンバープレート装飾器具１７０１の左右がグルグル形状、図１７（Ｂ）に示すように、ナンバープレート装飾器具１７０２の左右がハジカール形状（両端がカール状になっている）、図１７（Ｃ）に示すように、ナンバープレート装飾器具１７０３の左右が風化形状（両端が風化した形状）、図１７（Ｄ）に示すように、ナンバープレート装飾器具１７０４の左右が葉形状（葉っぱが波のようになっている）などのナンバープレート装飾器具の例が挙げられる。
【００８０】
以下、図１５、図１６を用いて、自動車のナンバープレート装飾器具が受ける風の影響について説明する。
【００８１】
装飾器具は通常ナンバープレート以外の部分では車体からわずかながら浮き上がって設置されることが多く、特に車体の前方に設置される装飾器具は自動車の走行によって向かい風１５０４を受けて左右がたわむこととなる。図１５は、静止状態の自動車の装飾器具１５０１は、ナンバープレート１５０２とほぼ同一高さで静止状態では平坦な板状である（Ａ）ところ、自動車の走行によって車体の前方に設置された装飾器具が風によってたわむ（Ｂ）状態を表したものである。最も大きくたわむ部分はその左右端１５０２、１５０３であるが、最も応力が加わるのはナンバープレートの左右近くの領域となる。
【００８２】
図１６は、装飾器具を自動車の上方から観察し、その装飾器具に風１６０５によって加えられる応力の様子を示した概念図である。静止状態では平坦な板状（Ａ）であるが、風１６０５が加えられると同図（Ｂ）のように装飾器具１６０６ａに応力１６０８が発生する。同図（Ｂ）のようにナンバープレートの左右近傍で最も応力が高くなり、装飾器具１６０６ａの左右端では応力は０となる。同図（Ｂ）のように左右が対称の場合には応力１６０８の発生も左右対称となるが、同図（Ｃ）に示すように左右が非対称の場合には装飾器具１６０６ｂに発生する応力１６１０も左右非対称となる。
【００８３】
左右非対称となるといろいろな不都合が発生する。装飾器具のデザインには各種の塗料が使用されるが、中でもパール状に光り輝く塗料、例えば微小なガラスビーズを混ぜた塗料や、反射性の高い塗料を利用する場合がある。あるいは、反射性のフィルムを装飾に利用する場合がある。反射性のフィルムとは金属色のフィルムなどである。これらは金属薄膜を利用している場合がある。
【００８４】
このような塗料を用いる場合、例えば、装飾器具のたわみ方によって装飾の色彩は微妙に変化するが、その変化の仕方が左右非対称となりデザイナーの意図した美観が損なわれるケースがある。また装飾器具に当たった太陽光や照明などの反射も左右非対称となり、やはり対称性を重視して描かれたデザインがデザイナーの意図と異なるものとなる恐れがある。さらには左右非対称の応力を長期間受け続けると左右非対称の応力ひずみがたまり、やはりデザインの緻密性が失われる結果となる。例えば、片方のガラスビーズは早期に脱落するが、もう片方はガラスビーズの脱落が遅延するような場合である。また左右非対称に装飾器具が劣化するので、例えば左右のいずれかが劣化が進み、逆側の劣化が遅れるというケースも想定される。特に金属薄膜を利用する場合には金属薄膜に対する疲労の蓄積が異なり、結果として当初左右対称に構成されていたデザインが金属疲労の左右非対称性によって、左右非対称の色彩になってしまうという現象が起こる。このような観点から装飾器具は、自動車の正面ないしは背面視にて左右対称に設計されることが好ましい。左右対称であれば、上下方向は非対称となっていても構わない。つまり、地面と平行な線にて装飾器具は左右対称に構成されていることが好ましい。
＜実施形態７  効果＞
【００８５】
実施形態７は、ナンバープレート装飾器具の風による変形を考慮した形状であるので、風の影響でその装飾器具が壊れるのを軽減することができる。
【００８６】
＜実施形態８＞
実施形態８は、主に請求項８に対応する。
＜実施形態８  概要＞
【００８７】
実施形態８の自動車のナンバープレート装飾器具は、風による変形を考慮したものである。
＜実施形態８  構成＞
【００８８】
図１９（Ａ）〜（Ｃ）に示すように、実施形態８の自動車のナンバープレート装飾器具１９０１から１９０３は、自動車のナンバープレートの中心点から点対称の形状である。
＜実施形態８  構成の説明＞
【００８９】
「点対称の形状」とは、ナンバープレート装飾器具が自動車のナンバープレートの中心点から点対称の形状であることをいう。図１９（Ａ）に示すように、ナンバープレート装飾器具１９０１の４隅が角拡張形状（角が尖っている）、図１９（Ｂ）に示すように、ナンバープレート装飾器具１９０２の４隅が４角形状（４つの角が菱形形状）、図１９（Ｃ）に示すように、ナンバープレート装飾器具１９０３の８角形状（４つの角が菱形形状でナンバープレートの上下左右辺の中央が突出した形状）などのナンバープレート装飾器具の例が挙げられる。
【００９０】
以下、図１８（Ａ）（Ｂ）を用いて、自動車のナンバープレート装飾器具が受ける風の影響について説明する。装飾器具１８０１の受ける風の応力はナンバープレート中心と同じ位置に重心を有するように配置すると、ナンバープレート１８０２の中心位置１８０３から点対称に応力が発生する。前の実施形態では左右対称に応力が発生することがデザインの維持やデザインの見え方の観点から好ましいと述べたが、上下にもデザインの対称性を求める場合には結果として上下方向に関しても対称に応力が発生するように構成することが好ましい。上下方向にも対称とするためには点対称とするのが最も好ましい。もちろん上下方向で多少の差異は発生するもののおおむね上下方向も左右方向も対称に応力を発生させることが可能だからである。応力が対称に発生させるメリットは前の実施形態にて説明したとおりである。
＜実施形態８  効果＞
【００９１】
実施形態８は、ナンバープレート装飾器具の風による変形を考慮した形状であるので、風の影響でその装飾器具が壊れるのを軽減することができる。
＜その他の実施形態＞
【００９２】
上記実施形態においては、ナンバープレートが単色の場合の拡張性した自動車のナンバープレート装飾器具の例を示したが、ご当地ナンバープレートなどで図柄入りのナンバープレートの場合は、図柄を延長して拡張プレート（ナンバープレート装飾器具）を構成することもできる。
【符号の説明】
【００９３】
０３０１  ナンバープレート
０３０２、０４０１、０６０４  ナンバープレート装飾器具
０３０３  一体化したナンバープレート装飾器具
０６０５、０６０６  磁石配置部
１００５  峰かけ周回部
１３０１  実際の境界
１３０２  グラデーション
１３０３  境界周辺同一色
１３０４  周縁部
【要約】      （修正有）【課題】ナンバープレートとそのナンバープレートの周縁を目立たなくしナンバープレート周縁全体のデザイン性を向上させる自動車のナンバープレートの装飾器具を提供する。【解決手段】自動車のナンバープレートの周縁に配置する自動車のナンバープレート装飾器具であって、配置された状態で、そのナンバープレートを視認する側からみて、そのナンバープレート周縁に略面一かつ、そのナンバープレートの着色と略同一の着色を少なくともそのナンバープレートの周縁部については有するように構成された自動車のナンバープレート装飾器具。【選択図】図３【図１】
0006868680.tif 000002
【図２】
0006868680.tif 000003
【図３】
0006868680.tif 000004
【図４】
0006868680.tif 000005
【図５】
0006868680.tif 000006
【図６】
0006868680.tif 000007
【図７】
0006868680.tif 000008
【図８】
0006868680.tif 000009
【図９】
0006868680.tif 000010
【図１０】
0006868680.tif 000011
【図１１】
0006868680.tif 000012
【図１２】
0006868680.tif 000013
【図１３】
0006868680.tif 000014
【図１４】
0006868680.tif 000015
【図１５】
0006868680.tif 000016
【図１６】
0006868680.tif 000017
【図１７】
0006868680.tif 000018
【図１８】
0006868680.tif 000019
【図１９】
0006868680.tif 000020
【図２０】
0006868680.tif 000021
【図２１】
0006868680.tif 000022
【図２２】
0006868680.tif 000023
【図２３】
0006868680.tif 000024
【図２４】
0006868680.tif 000025
【図２５】
0006868680.tif 000026